(57)【要約】【課題】オーディオデータと、他の、サブコードデータ、訂正結果フラグ、セクタ情報等の付加情報を同時に転送する場合に、別途に通信線を増加する必要がなく、また、付加情報を足した分、転送速度が遅くなってしまうことのないデータ転送システムを提供する。【解決手段】転送クロックＢＣＬＫによりバイフェーズ変調した付加情報ビットを含む極性変調信号ＭＬＲＣＫを生成し、この極性変調信号ＭＬＲＣＫを、極性信号線を用いて転送クロックのタイミングで伝送する構成とした。【選択図】  図１
2008160334.tif 000002
【特許請求の範囲】
【請求項１】
転送クロック線、データ線、及び極性信号線の３線を用いて、データ送信装置と、データ受信装置との間でデータのシリアル転送を行なうデータ転送システムであって、
前記データ送信装置は、
送信すべきデータの極性を示す極性信号を、前記送信すべきデータに関する付加情報を示す付加情報ビットを含む極性変調信号に変調し、該極性変調信号を前記極性信号線を用いて送信する、
ことを特徴とするデータ転送システム。
【請求項２】
請求項１に記載のデータ転送システムにおいて、
前記データ送信装置は、
前記極性信号を、前記送信すべきデータの開始タイミングを示す同期信号と前記送信すべきデータの極性を検出するための極性検出用信号とを含む同期ブロックと、前記付加情報ビットを含む情報ブロックとからなる極性変調信号に変調する、
ことを特徴とするデータ転送システム。
【請求項３】
請求項１に記載のデータ転送システムにおいて、
前記データ送信装置は、
前記極性信号を、転送クロックによるバイフェーズ変調を用いて変調する、
ことを特徴とするデータ転送システム。
【請求項４】
請求項１に記載のデータ転送システムにおいて、
前記データ送信装置は、
前記付加情報として、送信すべきデータのサブコードデータ、エラーデータ、およびセクタ情報のうちのいずれか１つ、または複数を、前記付加情報ビットにて送信する、
ことを特徴とするデータ転送システム。
【請求項５】
請求項１に記載のデータ転送システムにおいて、
前記付加情報ビットは所定数のビットであり、
前記所定数の付加情報ビットにて送信すべきデータの種類に対応した前記付加情報を送信する、
ことを特徴とするデータ転送システム。
【請求項６】
請求項３に記載のデータ転送システムにおいて、
前記データ送信装置は、前記極性信号のバイフェーズ変調を、前記転送クロックの立下り及び立上りの両エッジのタイミングを用いて行い、
前記データ送信装置、及び前記データ受信装置は、前記転送クロックの前記両エッジに同期したタイミングで前記データ及び前記変調した極性信号の送信、及び受信を行う、
ことを特徴とするデータ転送システム。
【請求項７】
請求項１に記載のデータ転送システムにおいて、
前記データ送信装置は、
前記変調後の極性変調信号か、変調前の極性信号か、のいずれかの信号を切り替えて送信する、
ことを特徴とするデータ転送システム。
【請求項８】
データ受信装置との間で、転送クロック線、データ線、及び極性信号線の３線を用いてデータのシリアル転送を行なうデータ送信装置において、
送信すべきデータの極性を示す極性信号を、前記送信すべきデータに関する付加情報を示す付加情報ビットを含む極性変調信号に変調し、該極性変調信号を前記極性信号線を用いて送信する、
ことを特徴とするデータ送信装置。
【発明の詳細な説明】
【技術分野】
【０００１】
本発明は、ＣＤ、ＭＤ、ＤＶＤなどのメディアからディジタル音声データと付加データを取り出し、シリアル転送するデータ転送システムに関するものである。
【背景技術】
【０００２】
昨今、オーディオ分野においてディジタル化が進みＣＤなどのメディアからディジタルオーディオデータを取り出し、そのデータを他のメディアへダビングしたり、ＤＳＰに転送しデータ処理したりすることが多くなっている。その際のオーディオデータの転送は、転送クロック、データ、極性信号の３線を用いたシリアル転送により実現されている。
【０００３】
図１０は、このデータ転送の様子を示す図であり、図において４００は音声データ取り出し手段、５００は音声データ取り出し手段４００で取り出された音声データを処理する音声データ処理手段である。また、１５０は音声データ取り出し手段４００に設けられたデータ送信装置、２５０は音声データ処理手段５００に設けられたデータ受信装置、３０１は基準クロックＢＣＬＫを伝送する基準クロック線、３０２はデータＳＲＤＡＴＡを伝送するデータ線、３０３は極性信号ＬＲＣＫを伝送する極性信号線である。データ送信装置１５０、データ受信装置２５０、基準クロック線３０１、データ線３０２、及び極性信号線３０３により、シリアルデータ転送システム１５００が構成される。
【０００４】
音声データ取り出し手段４００においてＣＤ等のメディアから取り出された音声データは、シリアルデータ転送システム１５００により音声データ処理手段５００に転送され、音声データ処理手段５００においてデータ処理がなされる。
【０００５】
図１１は従来のシリアルデータ転送システム１５００の構成を示すブロック図である。図において、１５０はデータ送信装置、２５０はデータ受信装置である。１５２は１６ビットレジスタで構成されるデータ送信用１６ビットバッファレジスタ、１５３はデータ送信用１６ビットバッファレジスタ１５２からパラレルにロードされる送信データを受け取り、これをデータ線にシリアルに送出するデータ送信用１６ビットシフトレジスタである。２５１はデータ線を転送されてきたデータＳＲＤＡＴＡをシリアルに入力するデータ受信用１６ビットシフトレジスタである。２５２はデータ受信用１６ビットシフトレジスタ２５１が受信したデータをパラレルに受け取るデータ受信用１６ビットバッファレジスタである。
【０００６】
図１２は従来のデータ転送システムにおけるシリアルデータ転送の動作を説明するための図である。
【０００７】
データ送信装置１５０側において、データ送信用１６ビットバッファレジスタ１５１は、１６ビットの音声データ（データＳＲＤＡＴＡ）を格納した後、これをデータ送信用１６ビットシフトレジスタ１５２にパラレルにロードする。データ送信用１６ビットシフトレジスタ１５２は、バッファレジスタ１５１から受け取った１６ビットのデータＳＲＤＡＴＡを、基準クロックＢＣＬＫの立下りエッジのタイミングで最上位ビットＭＳＢ側から順にデータ線に送出する。また、極性信号ＬＲＣＫは、送信すべきデータＳＲＤＡＴＡがＬｃｈであるときは、該データＳＲＤＡＴＡが転送されている間、“Ｈ”状態を保ち、送信すべきデータＳＲＤＡＴＡがＲｃｈであるときは、該データＳＲＤＡＴＡが送信されている間、“Ｌ”状態を保つ。
【０００８】
データ受信装置２５０側において、データ受信用１６ビットシフトレジスタ２５１は、データ線を転送されてきたデータＳＲＤＡＴＡを、基準クロック信号線を介して与えられる基準クロックＢＣＬＫに同期したタイミングでシリアルに受信する。データ受信用１６ビットシフトレジスタ２５１は受信したデータＳＲＤＡＴＡをデータ受信用１６ビットバッファレジスタ２５２に対してパラレルに出力する。
【０００９】
ところで、ディジタルオーディオデータをデータとして転送する場合、オーディオデータと同期したサブコードデータを同時に転送することで、データ受け取り側で、サブコードデータにしたがって、オーディオデータの結合が可能となる。また、オーディオデータと同期したエラー状態を示すフラグを同時に転送することで、データ受信側で、エラー状態を示すフラグを元に、受信した信頼性の低いオーディオデータを破棄することが可能となる。
【００１０】
このようにデータの他に、サブコードデータ、訂正結果フラグ、セクタ情報データなどの付加情報を同時に転送する場合があるが、このような場合、従来のデータ転送システムでは、図１３に示すように、ディジタルオーディオデータの後ろに、付加情報データ（Ｓ、Ｅ０、Ｅ１、Ｕ０、Ｕ１）を追加し、基準クロックに同期したタイミングで転送していた。
【００１１】
このとき、従来のデータ転送システムでは、データＳＲＤＡＴＡを付加情報なしで転送する場合は、図１２に示すように、転送クロックＢＣＬＫがＬｃｈで１６クロック、Ｒｃｈで１６クロックの合計３２クロックで転送できるが、データＳＲＤＡＴＡに５ビット分の付加情報を追加して転送するためには、図１３に示すように、転送クロックＢＣＬＫがＬｃｈで２１クロック、Ｒｃｈで２１クロックの合計４２クロック必要である。
【特許文献１】特開２００２−２６１７１６号公報
【発明の開示】
【発明が解決しようとする課題】
【００１２】
従来のデータ転送システムでは、データの他に付加情報を同時に転送する場合に、データの後ろに、付加情報データを追加し、基準クロックに同期したタイミングで転送していたため、付加情報を足した分、転送速度が遅くなってしまい、データ転送の高速化のために転送クロックを高速にしなければならないという問題があった。
【００１３】
この発明は上記の問題点を解消するためになされたもので、データの他に付加情報を同時に転送する場合に、別途に通信線を増加する必要がなく、また、付加情報を足した分、転送速度が遅くなってしまうことのないデータ転送システムを提供することを目的とする。
【課題を解決するための手段】
【００１４】
上記の課題を解決するために、本発明の請求項１にかかるデータ転送システムは、転送クロック線、データ線、及び極性信号線の３線を用いて、データ送信装置と、データ受信装置との間でデータのシリアル転送を行なうデータ転送システムであって、前記データ送信装置は、送信すべきデータの極性を示す極性信号を、前記送信すべきデータに関する付加情報を示す付加情報ビットを含む極性変調信号に変調し、該極性変調信号を前記極性信号線を用いて送信する、ことを特徴とするものである。
【００１５】
これにより、別途に通信線を増加することなく、また、付加情報を足した分、転送速度が遅くなってしまうことなく、データの他に付加情報を同時に転送することができる。
【００１６】
また、本発明の請求項２にかかるデータ転送システムは、請求項１に記載のデータ転送システムにおいて、前記データ送信装置が、前記極性信号を、前記送信すべきデータの開始タイミングを示す同期信号と前記送信すべきデータの極性を検出するための極性検出用信号とを含む同期ブロックと、前記付加情報ビットを含む情報ブロックとからなる極性変調信号に変調する、ことを特徴とするものである。
【００１７】
これにより、別途に通信線を増加することなく、また、付加情報を足した分、転送速度が遅くなってしまうことなく、データの他に付加情報を同時に転送することができる。
【００１８】
また、本発明の請求項３にかかるデータ転送システムは、請求項１に記載のデータ転送システムにおいて、前記データ送信装置が、前記極性信号を、転送クロックによるバイフェーズ変調を用いて変調する、ことを特徴とするものである。
【００１９】
これにより、付加情報を足した分、転送速度が遅くなってしまうことなく、データの他に付加情報を同時に転送することができ、また、受信装置側での復調処理を容易なものとできる。
【００２０】
また、本発明の請求項４にかかるデータ転送システムは、請求項１に記載のデータ転送システムにおいて、前記データ送信装置が、前記付加情報として、送信すべきデータのサブコードデータ、エラーデータ、およびセクタ情報のうちのいずれか１つ、または複数を、前記付加情報ビットにて送信する、ことを特徴とするものである。
【００２１】
これにより、データ受信装置側でこれらの付加情報を利用したデータ処理を行うことを可能とできる。
【００２２】
また、本発明の請求項５にかかるデータ転送システムは、請求項１に記載のデータ転送システムにおいて、前記付加情報ビットは所定数のビットであり、前記所定数の付加情報ビットにて送信すべきデータの種類に対応した前記付加情報を送信する、ことを特徴とするものである。
【００２３】
これにより、付加情報ビットの数を変えることなく、ＣＤ−ＤＡ、ＣＤ−ＲＯＭ等の複数の種類の異なるメディアから読み出したデータの転送に対応できる。
【００２４】
また、本発明の請求項６にかかるデータ転送システムは、請求項３に記載のデータ転送システムにおいて、前記データ送信装置が、前記極性信号のバイフェーズ変調を、前記転送クロックの立下り及び立上りの両エッジのタイミングを用いて行い、前記データ送信装置、及び前記データ受信装置が、前記転送クロックの前記両エッジに同期したタイミングで前記データ及び前記変調した極性信号の送信、及び受信を行う、ことを特徴とするものである。
【００２５】
これにより、データの転送に必用な転送クロックの数を削減することができる。
【００２６】
また、本発明の請求項７にかかるデータ転送システムは、請求項１に記載のデータ転送システムにおいて、前記データ送信装置が、前記変調後の極性変調信号か、変調前の極性信号か、のいずれかの信号を切り替えて送信する、ことを特徴とするものである。
【００２７】
これにより、データ受信装置側が従来フォーマットでの受信しかできない場合にも対応できる柔軟性の高いシステムを提供できる。
【００２８】
また、本発明の請求項８にかかるデータ送信装置は、データ受信装置との間で、転送クロック線、データ線、及び極性信号線の３線を用いてデータのシリアル転送を行なうデータ送信装置において、送信すべきデータの極性を示す極性信号を、前記送信すべきデータに関する付加情報を示す付加情報ビットを含む極性変調信号に変調し、該極性変調信号を前記極性信号線を用いて送信する、ことを特徴とするものである。
【００２９】
これにより、別途に通信線を増加することなく、また、付加情報を足した分、転送速度が遅くなってしまうことなく、データの他に付加情報を同時に転送することができる。
【発明の効果】
【００３０】
本発明によれば、送信すべきデータの極性を示す極性信号を、前記送信すべきデータに関する付加情報を示す付加情報ビットを含むよう極性変調信号に変調し、該極性変調信号を前記極性信号線を用いて送信することにより、データの他に付加情報を同時に転送する場合に、別途に通信線を増加する必要がなく、また、付加情報を足した分、転送速度が遅くなってしまうことのないデータ転送システムを提供することができる。
【発明を実施するための最良の形態】
【００３１】
（実施の形態１）
以下、本発明の実施の形態１によるデータ転送システムについて説明する。
図１は、本実施の形態１によるデータ転送システム１０００の構成を示す図であり、図において、１００はデータ送信装置であり、１０１は基準クロックＢＣＬＫ、極性検出用信号、及び同期信号を生成し出力する制御信号生成回路である。１０２は１６ビットレジスタで構成されるデータ送信用１６ビットバッファレジスタ、１０３はデータ送信用１６ビットバッファレジスタ１０２からパラレルにロードされる送信データを受け取り、これをデータ線にシリアルに送出するデータ送信用１６ビットシフトレジスタである。１０４は付加信号をバイフェーズ変調するバイフェーズ変調器である。１０５は変調された極性信号（極性変調信号）を格納する極性変調信号送信用１６ビットバッファレジスタである。１０６は極性変調信号送信用１６ビットバッファレジスタ１０５からパラレルにロードされる極性変調信号ＭＬＲＣＫを受け取り、これを極性信号線にシリアルに送出する極性変調信号送信用１６ビットシフトレジスタである。
【００３２】
また、２００はデータ受信装置であり、２０１はデータ線を転送されてきたデータＳＲＤＡＴＡをシリアルに入力するデータ受信用１６ビットシフトレジスタである。２０２はデータ受信用１６ビットシフトレジスタ２０１が受信したデータをパラレルに受け取るデータ受信用１６ビットバッファレジスタである。２０３は極性信号線を転送されてきた極性変調信号ＭＬＲＣＫをシリアルに入力する極性変調信号受信用１６ビットシフトレジスタである。２０４は、極性変調信号受信用１６ビットシフトレジスタ２０３が受信した極性変調信号ＭＬＲＣＫをパラレルに受け取って格納する極性変調信号受信用１６ビットバッファレジスタである。２０５は、極性変調信号受信用１６ビットバッファレジスタ２０４に格納された変調された極性変調信号ＭＬＲＣＫから、同期検出、及び極性検出を行い、また付加信号の復調を行う復調・同期検出手段である。
【００３３】
また、図２は、極性信号を変調して、極性信号にＳ、Ｅ０、Ｅ１、Ｕ０、Ｕ１の５つの情報ビットを付加して転送する場合のデータ送信装置１００の具体的な構成を示す図である。図２において、極性変調信号送信用バッファレジスタ１０５は、バイフェーズ変調器１０４で変調された付加信号を格納する１０ビットレジスタと、極性検出用信号を格納する２ビットレジスタと、同期信号を格納する４ビットレジスタとからなる。ここで、付加情報ビットの数が５つであるものについて示しているが、付加情報ビットの数は５つに限られるものではない。
【００３４】
次に本実施の形態1によるデータ転送システムにおけるデータ転送の動作について説明する。
【００３５】
本実施の形態１によるデータ転送システムでは、極性信号を、送信すべきデータに関する付加情報を示す付加情報ビットを含む極性変調信号に変調し、この極性変調信号を極性信号線で送信する。
【００３６】
図３は本実施の形態1によるデータ転送システムにおけるシリアルデータ転送の動作を説明するための図である。
【００３７】
本実施の形態1によるデータ転送システムにおける転送クロック（基準クロック）ＢＣＬＫ、及びデータＳＲＤＡＴＡの構成は従来のデータ転送システムにおけるこれらの信号の構成と同じである。本実施の形態1によるデータ転送システムにおいて極性信号線で送信される極性変調信号ＭＬＲＣＫは、図３に示すように同期ブロックＬｃｈ Ｓｙｎｃ／Ｒｃｈ Ｓｙｎｃと情報ブロックＤａｔａ Ｂｌｏｃｋの２つのブロックで構成される。
【００３８】
図４は同期ブロックＬｃｈ Ｓｙｎｃ／Ｒｃｈ Ｓｙｎｃのフォーマット例を示す図である。図４に示すように、同期ブロックは同期確立部とチャンネル識別部の２つの部分から成り立っており、極性変調信号ＭＬＲＣＫの立ち上りから４基準クロックＢＣＬＫ期間連続して“Ｈ”で同期確立となる。同期確立後の２基準クロックＢＣＬＫ期間がチャンネル識別部となっており、図４（ａ）に示すように、２ＢＣＬＫ期間連続して“Ｈ”の場合はＬｃｈ、図４（ｂ）に示すように、２ＢＣＬＫ期間連続して“L”の場合はＲｃｈとなる。
【００３９】
図２において、データ送信用１６ビットバッファレジスタ１０２は、１６ビットの音声データ（データＳＲＤＡＴＡ）を格納した後、これをデータ送信用１６ビットシフトレジスタ１０２にパラレルにロードする。
【００４０】
また、バイフェーズ変調器１０４は、送信すべきデータに関する付加情報を示す付加情報ビットをバイフェーズ変調する。
【００４１】
図１４は、情報ビットへの付加情報の割り付けの一例を示す図である。図１４に示すように、Ｓ、Ｅ０、Ｅ１、Ｕ０、Ｕ１の５つの付加ビット（情報ビット）を用いて付加情報を転送する場合、例えば、ＣＤ−ＤＡ、ＣＤ−ＲＯＭの両方に対応する通常モードにおいては、付加ビットＳにサブコード情報、付加ビットＥ０に訂正不能フラグ、付加ビットＥ１にＥＣＣエラー情報、付加ビットＵ０にＣＤ−ＲＯＭセクタ情報を割り付け、付加ビットＵ１をＲｅｓｅｒｖｅｄ（空きビット）とする。また、ＣＤ−ＲＯＭのみに対応するＣＤ−ＲＯＭフル対応モードにおいては、付加ビットＳにサブコード情報、付加ビットＥ０に上位バイト訂正不能フラグ、付加ビットＥ１に下位バイト訂正不能フラグ、付加ビットＵ０にセクタ情報、付加ビットＵ１にＥＣＣエラー情報を割り付ける。本実施の形態１によるデータ転送システムでは、このように送信すべきデータの種類に応じて、付加情報ビットに割り付ける付加情報を切り替える構成としており、これにより、付加情報ビットの数を変更することなく、ＣＤ−ＤＡ、ＣＤ−ＲＯＭ等の複数の種類の異なるメディアから読み出したデータの転送に対応できる。
【００４２】
また、図５（ａ）は極性信号に含められる付加情報ビットを転送クロックＢＣＬＫの立下りエッジを使ってバイフェーズ変調するフォーマット例を示す図である。「０」と「１」はそれぞれ各２パターン合計４パターンあり、それぞれ直前の状態でいずれかのパターンが選択される。直前が“L”の場合は、この後２ＢＣＬＫ期間連続して“Ｈ”であるパターンが「０」、２ＢＣＬＫの期間に“Ｈ”及び“L”と切り替わるパターンが「１」を示す。直前が“Ｈ”の場合は、この後２ＢＣＬＫ期間連続して“L”であるパターンが「０」、２ＢＣＬＫの期間に“L”及び“Ｈ”と切り替わるパターンが「１」を示す。
【００４３】
バイフェーズ変調器１０４は、図１４に示すように、送信すべきデータに関する付加情報がそれぞれ1ビットずつ割り付けられたＳ、Ｅ０、Ｅ１、Ｕ０、Ｕ１の５つの付加情報ビットを、図５（ａ）に示すように基準クロックの立下りエッジによりそれぞれバイフェーズ変調して、各付加情報ビットがそれぞれ２ビットの信号で示される１０ビットの付加信号列を生成し、この付加信号列を極性変調信号送信用バッファレジスタ１０５の１０ビットレジスタに格納する。ここで、本実施の形態では、送信すべきデータに関する付加情報は、上述のように付加情報ビットに1ビットずつ割り付けられて送信され、付加情報がｎビットからなる情報であれば、該付加情報はｎ回に分けて送信されるものである。
【００４４】
また、制御信号生成回路１０１は、４ビットの“Ｈ”信号で構成される同期信号を極性変調信号送信用バッファレジスタ１０５の４ビットレジスタに格納し、送信すべきデータＳＲＤＡＴＡの極性を示す２ビットの極性検出用信号を極性変調信号送信用バッファレジスタ１０５の２ビットレジスタに格納する。極性変調信号送信用バッファレジスタ１０５は、同期ブロックＬｃｈ Ｓｙｎｃ／Ｒｃｈ Ｓｙｎｃを構成する同期信号、及び極性検出用信号と、情報ブロックＤａｔａ Ｂｌｏｃｋを構成する付加信号列をすべて格納した後、これらを極性変調信号送信用１６ビットシフトレジスタ１０６にパラレルにロードする。
【００４５】
データ送信用１６ビットシフトレジスタ１０３は、バッファレジスタ１０２から受け取った１６ビットのデータＳＲＤＡＴＡを、基準クロックＢＣＬＫの立下りエッジのタイミングで最上位ビットＭＳＢ側から順にデータ線に送出する。また、極性変調信号送信用１６ビットシフトレジスタ１０６は、バッファレジスタ１０５から受け取った１６ビットの極性変調信号ＭＬＲＣＫを、図３に示すように、データ送信用１６ビットシフトレジスタ１０３からの１６ビットのデータＳＲＤＡＴＡの送出に同期したタイミングで、同期ブロックＬｃｈ Ｓｙｎｃ／Ｒｃｈ Ｓｙｎｃを構成する同期信号から順に極性信号線に送出する。本実施の形態１によるデータ転送システムにおける具体的な送信波形の例を図６に示す。
【００４６】
データ受信装置２００側において、データ受信用１６ビットシフトレジスタ２０１は、データ線を転送されてきたデータＳＲＤＡＴＡを、基準クロック信号線を介して与えられる基準クロックＢＣＬＫに同期したタイミングでシリアルに受信する。データ受信用１６ビットシフトレジスタ２０１は受信したデータＳＲＤＡＴＡをデータ受信用１６ビットバッファレジスタ２０２に対してパラレルに出力する。
【００４７】
また、極性信号受信用１６ビットシフトレジスタ２０３は、極性信号線を転送されてきた極性変調信号ＭＬＲＣＫを、基準クロック信号線を介して与えられる基準クロックＢＣＬＫに同期したタイミングでシリアルに受信する。極性変調信号受信用１６ビットシフトレジスタ２０３は受信した極性変調信号ＭＬＲＣＫを極性変調信号受信用１６ビットバッファレジスタ２０４に対してパラレルに出力する。
【００４８】
復調・同期検出手段２０５の同期、ＬＲ検出器２０７は、極性変調信号受信用１６ビットバッファレジスタ２０４に格納される信号を監視し、同期信号を検出すると該同期信号のタイミングを示す信号を出力し、さらに同期信号に続く極性検出用信号から極性を検出して極性信号を出力する。また、バイフェーズ復調器２０６は極性検出用信号に続く１０ビットの付加信号列をバイフェーズ復調して、Ｓ、Ｅ０、Ｅ１、Ｕ０、Ｕ１の５つの付加情報ビットを得る。
【００４９】
本実施の形態１によるデータ転送システムでは、データＳＲＤＡＴＡに５ビット分の付加情報を追加して転送するのに必要な転送クロックは、図３に示されるように、Ｌｃｈで１６クロック、Ｒｃｈで１６クロックの合計３２クロックであり、従来のデータ転送システムのようにデータＳＲＤＡＴＡの他に付加情報を追加して転送することによって転送速度が遅くなってしまうことがない。
【００５０】
このように本実施の形態１によるデータ転送システムでは、データ送信装置１００とデータ受信装置２００の間で、転送クロック線、データ線、及び極性信号線の３線を用いてデータの転送を行なうものにおいて、データ送信装置１００側で、送信すべきデータの極性を示す極性信号ＬＲＣＫを、送信すべきデータに関する付加情報を示す付加情報ビットを含む極性変調信号に変調し、該極性変調信号を前記極性信号線を用いて送信することにより、別途に通信線を増加することなく、また、付加情報を足した分、転送速度が遅くなってしまうことなく、データの他に付加情報を同時に転送することができる。
【００５１】
なお、上記実施の形態１では、データ送信装置が送信すべきデータに関する付加情報を示す付加情報ビットを含む極性変調信号を送出するものについて示したが、図９に示す本実施の形態の変形例のように、スイッチ手段１１０を設け、変調後の極性変調信号ＭＬＲＣＫと、変調前の極性信号ＬＲＣＫのうちのいずれかを選択して極性信号線に送出する構成としてもよい。このような構成とすることにより、スイッチ手段１１０を切り替えることで、極性信号を従来のフォーマットで出力でき、データ受信装置側が従来フォーマットでの受信しかできない場合にも対応できる柔軟性の高いシステムを提供できる。
【００５２】
（実施の形態２）
以下、本発明の実施の形態２によるデータ転送システムについて説明する。
本発明の実施の形態２によるデータ転送システムは、付加情報ビットを転送クロック（基準クロック）ＢＣＬＫの立下り及び立上りの両エッジによりバイフェーズ変調し、また転送クロック（基準クロック）ＢＣＬＫの立下り及び立上りの両エッジに同期してデータＳＲＤＡＴＡ，及び変調された極性信号を送受信するものである。本実施の形態２によるデータ転送システムのその他の構成は上記実施の形態１によるデータ転送システムと同じである。
【００５３】
次に本実施の形態２によるデータ転送システムの動作について説明する。
図５（ｂ）は極性信号に含められる付加情報ビットを転送クロックＢＣＬＫの立下り及び立上りの両エッジを使ってバイフェーズ変調するフォーマット例を示す図である。「０」と「１」はそれぞれ各２パターン合計４パターンあり、それぞれ直前の状態でいずれかのパターンが選択される。直前が“L”の場合は、この後１ＢＣＬＫ期間連続して“Ｈ”であるパターンが「０」、１ＢＣＬＫの期間に“Ｈ”及び“L”と切り替わるパターンが「１」を示す。直前が“Ｈ”の場合は、この後１ＢＣＬＫ期間連続して“L”であるパターンが「０」、１ＢＣＬＫの期間に“L”及び“Ｈ”と切り替わるパターンが「１」を示す。
【００５４】
また、図７は本実施の形態２によるデータ転送システムにおけるシリアルデータ転送の動作を説明するための図である。
【００５５】
図２において、データ送信用１６ビットバッファレジスタ１０２は、１６ビットの音声データ（データＳＲＤＡＴＡ）を格納した後、これをデータ送信用１６ビットシフトレジスタ１０２にパラレルにロードする。
【００５６】
バイフェーズ変調器１０４は、図１４に示すように、送信すべきデータに関する付加情報がそれぞれ1ビットずつ割り付けられたＳ、Ｅ０、Ｅ１、Ｕ０、Ｕ１の５つの付加情報ビットを、図５（ｂ）に示すように基準クロックの立下り及び立上りの両エッジによりそれぞれバイフェーズ変調して、各付加情報ビットがそれぞれ２ビットの信号で示される１０ビットの付加信号列を生成し、この付加信号列を極性変調信号送信用バッファレジスタ１０５の１０ビットレジスタに格納する。
【００５７】
また、制御信号生成回路１０１は、４ビットの“Ｈ”信号で構成される同期信号を極性変調信号送信用バッファレジスタ１０５の４ビットレジスタに格納し、送信すべきデータＳＲＤＡＴＡの極性を示す２ビットの極性検出用信号を極性変調信号送信用バッファレジスタ１０５の２ビットレジスタに格納する。極性変調信号送信用バッファレジスタ１０５は、同期ブロックＬｃｈ Ｓｙｎｃ／Ｒｃｈ Ｓｙｎｃを構成する同期信号、及び極性検出用信号と、情報ブロックＤａｔａ Ｂｌｏｃｋを構成する付加信号列をすべて格納した後、これらを極性変調信号送信用１６ビットシフトレジスタ１０６にパラレルにロードする。
【００５８】
データ送信用１６ビットシフトレジスタ１０３は、バッファレジスタ１０２から受け取った１６ビットのデータＳＲＤＡＴＡを、基準クロックＢＣＬＫの立下り及び立上りの両エッジのタイミングで最上位ビットＭＳＢ側から順にデータ線に送出する。また、極性変調信号送信用１６ビットシフトレジスタ１０６は、バッファレジスタ１０５から受け取った１６ビットの極性変調信号ＭＬＲＣＫを、図７に示すように、データ送信用１６ビットシフトレジスタ１０３からの１６ビットのデータＳＲＤＡＴＡの送出に同期したタイミングで、同期ブロックＬｃｈ Ｓｙｎｃ／Ｒｃｈ Ｓｙｎｃを構成する同期信号から順に極性信号線に送出する。本実施の形態２によるデータ転送システムにおける具体的な送信波形の例を図８に示す。
【００５９】
データ受信装置２００側において、データ受信用１６ビットシフトレジスタ２０１は、データ線を転送されてきたデータＳＲＤＡＴＡを、基準クロック信号線を介して与えられる基準クロックＢＣＬＫの立下り及び立上りの両エッジに同期したタイミングでシリアルに受信する。データ受信用１６ビットシフトレジスタ２０１は受信したデータＳＲＤＡＴＡをデータ受信用１６ビットバッファレジスタ２０２に対してパラレルに出力する。
【００６０】
また、極性変調信号受信用１６ビットシフトレジスタ２０３は、極性信号線を転送されてきた極性変調信号ＭＬＲＣＫを、基準クロック信号線を介して与えられる基準クロックＢＣＬＫの立下り及び立上りの両エッジに同期したタイミングでシリアルに受信する。極性変調信号受信用１６ビットシフトレジスタ２０３は受信した極性変調信号ＭＬＲＣＫを極性変調信号受信用１６ビットバッファレジスタ２０４に対してパラレルに出力する。
【００６１】
復調・同期検出手段２０５の同期、ＬＲ検出器２０７は、極性変調信号受信用１６ビットバッファレジスタ２０４に格納される信号を監視し、同期信号を検出すると該同期信号のタイミングを示す信号を出力し、さらに同期信号に続く極性検出用信号から極性を検出して極性信号を出力する。また、バイフェーズ復調器２０６は極性検出用信号に続く１０ビットの付加信号列をバイフェーズ復調して、Ｓ、Ｅ０、Ｅ１、Ｕ０、Ｕ１の５つの付加情報ビットを得る。
【００６２】
本実施の形態２によるデータ転送システムでは、データＳＲＤＡＴＡに５ビット分の付加情報を追加して転送するのに必要な転送クロックは、図７に示されるように、Ｌｃｈで８クロック、Ｒｃｈで８クロックの合計１６クロックであり、上記実施の形態１によるデータ転送システムの半分の数の転送クロックＢＣＬＫで同じ量のデータを転送できる。
【００６３】
このように本実施の形態２によるデータ転送システムでは、データ送信装置１００とデータ受信装置２００の間で、転送クロック線、データ線、及び極性信号線の３線を用いてデータの転送を行なうものにおいて、データ送信装置１００側で、送信すべきデータの極性を示す極性信号ＬＲＣＫを、送信すべきデータに関する付加情報を示す付加情報ビットを含む極性変調信号に変調し、該極性変調信号を前記極性信号線を用いて送信することにより、別途に通信線を増加することなく、また、付加情報を足した分、転送速度が遅くなってしまうことなく、データの他に付加情報を同時に転送することができる。
【００６４】
また、本実施の形態２によるデータ転送システムでは、付加情報ビットのバイフェーズ変調と、データＳＲＤＡＴＡ，及び極性変調信号の送受信を、転送クロック（基準クロック）ＢＣＬＫの立下り及び立上りの両エッジを用いて行うようにしたので、上記実施の形態１によるデータ転送システムの半分の数の転送クロックＢＣＬＫで同じ量のデータを転送できる。
【産業上の利用可能性】
【００６５】
本発明は、データの他に付加情報を同時に転送する場合に、付加情報を足した分、転送速度が遅くなってしまうことのないデータ転送システムを提供することができるものであり、ＣＤ、ＭＤ、ＤＶＤなどのメディアからディジタル音声データと付加情報を取り出し、シリアル転送するデータ転送システムの分野において有用である。
【図面の簡単な説明】
【００６６】
【図１】本発明の実施の形態１によるデータ転送システムの構成を示す図である。
【図２】本発明の実施の形態１によるデータ転送システムのデータ送信装置の具体的な構成を示す図である。
【図３】本発明の実施の形態1によるデータ転送システムにおけるシリアルデータ転送の動作を説明するための図である。
【図４】同期ブロックＬｃｈ Ｓｙｎｃ／Ｒｃｈ Ｓｙｎｃのフォーマット例を示す図である。
【図５】極性信号に含められる付加情報ビットのフォーマット例を示す図である。
【図６】本実施の形態1によるデータ転送システムにおける具体的な送信波形の例を示す図である。
【図７】本発明の実施の形態２によるデータ転送システムにおけるシリアルデータ転送の動作を説明するための図である。
【図８】本発明の実施の形態２によるデータ転送システムにおける具体的な送信波形の例を示す図である。
【図９】本発明の実施の形態１によるデータ転送システムのデータ送信装置の変形例の構成を示す図である。
【図１０】オーディオ分野における音声データの転送の様子を説明するための図である。
【図１１】従来のデータ転送システムの構成を示す図である。
【図１２】従来のデータ転送システムにおけるシリアルデータ転送の動作を説明するための図である。
【図１３】従来のデータ転送システムの問題点を説明するための図である。
【図１４】付加情報ビットへの付加情報の割り付け例を示す図である。
【符号の説明】
【００６７】
１０００  データ転送システム
１００    データ送信装置
２００    データ受信装置
１０１    制御信号生成回路
１０２    データ送信用１６ビットバッファレジスタ
１０３    データ送信用１６ビットシフトレジスタ
１０４    バイフェーズ変調器
１０５    極性変調信号送信用１６ビットバッファレジスタ
１０６    極性変調信号送信用１６ビットシフトレジスタ
２０１    データ受信用１６ビットシフトレジスタ
２０２    データ受信用１６ビットバッファレジスタ
２０３    極性変調信号受信用１６ビットシフトレジスタ
１０６    極性変調信号受信用１６ビットバッファレジスタ
２０５    復調・同期検出手段
２０６    バイフェーズ復調器
２０７    同期，ＬＲ検出器
【図１】
2008160334.tif 000003
【図２】
2008160334.tif 000004
【図３】
2008160334.tif 000005
【図４】
2008160334.tif 000006
【図５】
2008160334.tif 000007
【図６】
2008160334.tif 000008
【図７】
2008160334.tif 000009
【図８】
2008160334.tif 000010
【図９】
2008160334.tif 000011
【図１０】
2008160334.tif 000012
【図１１】
2008160334.tif 000013
【図１２】
2008160334.tif 000014
【図１３】
2008160334.tif 000015
【図１４】
2008160334.tif 000016